(57)【要約】【課題】  保護部材の着脱作業が簡単にできる腕時計を提供する。【解決手段】  上部開口部に時計ガラス５を有する腕時計ケース１と、この腕時計ケース１の上部に配置されて時計ガラス５の上面に突出する保護部材１３と、この保護部材１３を腕時計ケース１に押し付ける操作によって、保護部材１３のフック部１７を腕時計ケース１の係止部１８に係脱可能に係止する係止部材１６と、を備えている。従って、腕時計ケース１に保護部材１３を押し付けるだけで、簡単にフック部１７を係止部１８に係止させて、保護部材１３を腕時計ケース１に簡単に取り付けることができる。また、フック部１７を係止部１８から離脱させるだけで、簡単に保護部材１３を腕時計ケース１から取り外すことができる。【選択図】        図６
2015031625.tif 000002
【特許請求の範囲】
【請求項１】
上部開口部に時計ガラスが取り付けられた時計ケースと、
この時計ケースの上部に沿って配置され、かつ前記時計ガラスの上面に突出する保護部材と、
この保護部材を前記時計ケースに押し付ける操作によって、前記保護部材に設けられたフック部を前記時計ケースに設けられた係止部に係脱可能に係止する係止部材と、
を備えていることを特徴とする腕時計。
【請求項２】
請求項１に記載の腕時計において、前記係止部材は、前記時計ケースに対する前記フック部の押込み操作によって前記フック部が前記係止部に係止され、この状態で前記フック部が更に押込まれると前記係止部による前記フック部の係止が解除される構成であることを特徴とする腕時計。
【請求項３】
請求項１または請求項２に記載の腕時計において、前記フック部は、前記係止部に対する押込み方向に対して直交する方向に弾力的に押し広げられる一対の弾性片を有し、
前記係止部は、前記フック部の押込み操作に応じて前記一対の弾性片を押し広げて係止するガイド突起部と、このガイド突起部によって前記一対の弾性片が係止された状態で、前記フック部が押込まれた際に、前記一対の弾性片を前記ガイド突起部から離脱させて抜き出す方向にガイドする係止解除部とを有していることを特徴とする腕時計。
【請求項４】
請求項１〜請求項３のいずれかに記載の腕時計において、前記係止部材の前記係止部に対して前記フック部をロックするためのロック部を備え、
前記ロック部は、前記時計ケースに取り付けられた時計バンドに設けられ、前記係止部材の前記係止部の下側に配置されて、前記係止部に係止された前記フック部の押込み動作を阻止することを特徴とする腕時計。
【請求項５】
請求項１〜請求項４のいずれかに記載の腕時計において、前記時計ケースは、上部開口部に前記時計ガラスが取り付けられたケース本体と、このケース本体の外周面を覆うベゼルとを有していることを特徴とする腕時計。
【請求項６】
請求項５に記載の腕時計において、前記係止部は前記ケース本体の外面に設けられ、前記ベゼルには、前記フック部を前記ケース本体の前記係止部に向けてガイドするガイド孔が設けられていることを特徴とする腕時計。
【発明の詳細な説明】
【技術分野】
【０００１】
この発明は、腕時計に関する。
【背景技術】
【０００２】
例えば、腕時計においては、特許文献１に記載されているように、時計ケースにプロテクト部材の金属線を取り付け、この金属線に設けられたプロテクト部材の緩衝部を時計ケースの時計ガラス上に配置することにより、時計ガラスを衝撃から保護するように構成されたものが知られている。
【先行技術文献】
【特許文献】
【０００３】
【特許文献１】特開２００２−２２８７７２号公報
【発明の概要】
【発明が解決しようとする課題】
【０００４】
このような腕時計では、プロテクト部材の金属線が時計ケースを挟み付ける形状になるように、金属線を折り曲げ加工する必要があるため、金属線の製作が面倒であるばかりか、その金属線を時計ケースに取り付けたり、取り外したりする際の着脱作業が煩雑で面倒であるという問題がある。
【０００５】
この発明が解決しようとする課題は、保護部材の着脱作業が簡単にできる腕時計を提供することである。
【課題を解決するための手段】
【０００６】
この発明は、上部開口部に時計ガラスが取り付けられた時計ケースと、この時計ケースの上部に沿って配置され、かつ前記時計ガラスの上面に突出する保護部材と、この保護部材を前記時計ケースに押し付ける操作によって、前記保護部材に設けられたフック部を前記時計ケースに設けられた係止部に係脱可能に係止する係止部材と、を備えていることを特徴とする腕時計である。
【発明の効果】
【０００７】
この発明によれば、時計ケースの上部に保護部材を取り付ける際に、保護部材を時計ケースの上部に押し付けるだけで、簡単に係止部材のフック部を係止部に係止させて、保護部材を時計ケースに簡単に取り付けることができる。また、保護部材を時計ケースから取り外す際には、係止部材のフック部を係止部から離脱させるだけで、簡単に保護部材を時計ケースから取り外すことができる。このため、保護部材の着脱作業が簡単にできる。
【図面の簡単な説明】
【０００８】
【図１】この発明を適用した腕時計の一実施形態を示した拡大正面図である。
【図２】図１に示された腕時計の要部を分解して示した拡大斜視図である。
【図３】図１に示された腕時計のＡ−Ａ矢視における拡大断面図である。
【図４】図１に示された腕時計のＢ−Ｂ矢視における拡大断面図である。
【図５】図１に示された腕時計において、時計バンドを取り外した状態の腕時計ケースを示した拡大側面図である。
【図６】図５に示された腕時計ケースにおいて、第１、第２の各ベゼルを取り除いた状態で、一部を破断して示した拡大斜視図である。
【図７】図６に示された係止部材の係止部を示した拡大斜視図である。
【発明を実施するための形態】
【０００９】
以下、図１〜図７を参照して、この発明を適用した腕時計の一実施形態について説明する。
この腕時計は、図１および図２に示すように、腕時計ケース１を備えている。この腕時計ケース１は、硬質の合成樹脂からなるケース本体２と、このケース本体２の外周面に配置されるステンレスなどの金属からなる第１ベゼル３と、ケース本体２の上部外周面に配置されるウレタン樹脂などの軟質の合成樹脂からなる第２ベゼル４と、を有している。
【００１０】
この場合、腕時計ケース１の上部開口部、つまりケース本体２の上部開口部には、図３および図４に示すように、時計ガラス５がパッキン５ａを介して取り付けられている。また、腕時計ケース１の下部、つまりケース本体２の下部には、裏蓋６が防水リング６ａを介して取り付けられている。さらに、この腕時計ケース１の内部、つまりケース本体１の内部には、時計モジュール７が収納されている。
【００１１】
時計モジュール７は、図３および図４に示すように、その上面に文字板８が配置され、この文字板８がケース本体２の内周面の上部に設けられた見切り部材８ａに当接した状態で、ケース本体２内に配置されている。また、この時計モジュール７は、その下面が裏蓋６の内面（図３では上面）に配置された押え部材９によって上方に押し付けられた状態で、ケース本体２内に配置されている。
【００１２】
この時計モジュール７は、その内部に時計ムーブメント、およびこの時計ムーブメントを駆動する回路基板などの時計機能に必要な各種の部品（いずれも図示せず）を備えている。この場合、時計ムーブメントは、図３および図４に示すように、文字板８の上方に突出した指針軸７ａを回転させることにより、この指針軸７ａの上部に取り付けられた指針７ｂを文字板８の上方で運針させて時刻を指示表示させるように構成されている。
【００１３】
また、腕時計ケース１の３時と９時とに位置する個所には、図１および図２に示すように、スイッチ部１０がそれぞれ設けられている。さらに、この腕時計ケース１の１２時と６時とに位置する個所には、図１〜図４に示すように、バンド取付部１１がそれぞれ設けられている。これらバンド取付部１１は、時計バンド１２がそれぞれ取り付けられるように構成されている。
【００１４】
すなわち、このバンド取付部１１は、図１〜図４に示すように、腕時計ケース１から突出する一対の取付突起部１１ａを備えている。これにより、バンド取付部１１は、一対の取付突起部１１ａ間に時計バンド１２の端部１２ａが配置され、この状態で時計バンド１２の端部１２ａが一対の取付突起部１１ａにビス１１ｂによって取り付けられるように構成されている。
【００１５】
ところで、腕時計ケース１の上端部、つまり第２ベゼル４の上端部には、図１〜図５に示すように、保護部材１３が配置されている。この保護部材１３は、合成樹脂からなり、リング状の本体部１４と、装飾性を有する複数の保護部１５とを有し、これらが一体に形成された構成になっている。本体部１４は、第２ベゼル４の上端部とほぼ同じ形状に形成された円形のリング形状に形成され、第２ベゼル４の上端部にその縁部に沿って配置されるように構成されている。
【００１６】
複数の保護部１５は、図１および図２に示すように、リング状の本体部１４の内周面から時計ガラス５の上面に沿ってそれぞれ突出した状態で、本体部１４の内周面における４か所に形成されている。すなわち、複数の保護部１５は、それぞれほぼＬ字状に湾曲した状態で折り曲げられた棒状部材であり、１時と２時との個所、４時と５時との個所、７時と８時との個所、１０時と１１時との個所にそれぞれ設けられている。
【００１７】
また、この保護部材１３は、図２、図４〜図６に示すように、一対の係止部材１６によって腕時計ケース１に着脱可能に取り付けられるように構成されている。これら一対の係止部材１６は、保護部材１３に設けられたフック部１７と、腕時計ケース１のケース本体２に設けられた係止部１８とを有し、保護部材１３のフック部１７をケース本体２の係止部１８に係脱可能に係止するように構成されている。
【００１８】
この場合、係止部材１６は、図２、図４〜図６に示すように、腕時計ケース１に対して保護部材１３を押し付ける際におけるフック部１７の押込み操作によって、フック部１７が係止部１８に係止され、この係止された状態でフック部１７が更に押込まれると、係止部１８によるフック部１７の係止が解除されるように構成されている。
【００１９】
すなわち、フック部１７は、図２、図４〜図６に示すように、保護部材１３の本体部１４における１２時と６時とに位置する個所に、その下側に垂下された状態で、それぞれ設けられている。このフック部１７は、係止部１８に対する押込み方向（図５では上下方向）に対して直交する方向（図５では左右方向）に弾力的に押し広げられる一対の弾性片１７ａを有している。これら一対の弾性片１７ａの各先端部（図５では下端部）には、各係合突起１７ｂが互いに対向して設けられている。
【００２０】
係止部１８は、図５〜図７に示すように、バンド取付部１１の中間部に位置するケース本体２の外周面にそれぞれ設けられている。この係止部１８は、フック部１７の押込み操作に応じて一対の弾性片１７ａを押し広げて係止するガイド突起部２０と、このガイド突起部２０によって一対の弾性片１７ａが係止された状態で、フック部１７が更に押込まれた際に、一対の弾性片１７ａをガイド突起部２０から離脱させる係止解除部２１とを有している。
【００２１】
ガイド突起部２０は、図５〜図７に示すように、ほぼ三角形状のガイド部２０ａと、このガイド部２０ａの下部に設けられた括れ部２０ｂとを有している。この場合、ガイド部２０ａは、ケース本体２の円周方向（図５では左右方向）における長さが、上部から下部に向うに従って次第に広くなるほぼ三角形状に形成され、その両側の傾斜した２辺がガイド面に形成されている。
【００２２】
これにより、ガイド突起部２０は、図５および図６に示すように、フック部１７が押し下げられた際に、ガイド部２０ａが一対の弾性片１７ａを徐々に押し広げ、一対の弾性片１７ａの各係合突起１７ｂがガイド部２０ａの下側に移動した際に、括れ部２０ｂが各係合突起１７ｂを係止するように構成されている。
【００２３】
一方、係止解除部２１は、図７に示すように、ガイド突起部２０からケース本体２の肉厚方向に食い込んだ状態で、ガイド突起部２０の外形形状よりも大きいほぼ逆台形状に形成されている。すなわち、この係止解除部２１は、ガイド突起部２０の括れ部２０ｂの下面からケース本体２の肉厚方向に食い込んだ状態で連続する切替ガイド部２１ａと、この切替ガイド部２１ａから上部側に向けて一対の弾性片１７ａの各係合突起１７ｂをガイドするほぼ逆台形状の解除ガイド部２１ｂとを有している。
【００２４】
この場合、解除ガイド部２１ｂは、図６および図７に示すように、ケース本体２の外周方向における長さがガイド突起部２０の円周方向の長さよりも次第に長くなるほぼ逆台形状に形成され、その両側の傾斜した２辺がガイド面に形成され、このガイド面で一対の弾性片１７ａをガイド突起部２０のガイド部２０ａよりも押し広げた状態で上方に向けてガイドするように形成されている。
【００２５】
これにより、係止解除部２１は、図５〜図７に示すように、フック部１７が係止部１８に係止された状態で、更にフック部１７が押込まれて、一対の弾性片１７ａの各係合突起１７ｂがガイド突起部２０の括れ部２０ｂから下側に離脱した際に、切替ガイド部２１ａが一対の弾性片１７ａの各係合突起１７ｂをガイドして解除ガイド部２１ｂに導き、この解除ガイド部２１ｂが一対の弾性片１７ａの各係合突起１７ｂをガイドしながら一対の弾性片１７ａを押し広げてガイド突起部２０の上方に導くように構成されている。
【００２６】
この場合、係止部材１６のフック部１７は、図２および図４に示すように、第２ベゼル４に設けられたガイド孔２２に挿入され、ケース本体２の外周面に設けられた係止部１８に向けて導かれるように構成されている。すなわち、このガイド孔２２は、フック部１７が挿入する長方形状の長孔であり、係止部１８の上方に位置する個所の第２ベゼル４に、その上端部から下端部に貫通して形成されている。
【００２７】
また、腕時計ケース１のバンド取付部１１に取り付けられる時計バンド１２の端部１２ａには、図３および図４に示すように、係止部材１６のフック部１７をロックするためのロック部２３が設けられている。このロック部２３は、時計バンド１２がバンド取付部１１に取り付けられた際に、係止部１８の括れ部２０ｂの下側に配置されるように構成されている。
【００２８】
これにより、ロック部２３は、図３および図４に示すように、係止部１８に係止されたフック部１７の一対の弾性片１７ａの下端部、つまり一対の弾性片１７ａの各係合突起１７ｂが上方から当接して、係止部材１６のフック部１７の押込み動作を阻止することにより、フック部１７をロックするように構成されている。
【００２９】
次に、この腕時計の作用について説明する。
腕時計ケース１に保護部材１３を取り付ける場合には、予め、ケース本体２の上部開口部に時計ガラス５を取り付け、このケース本体２の外周面に第１ベゼル３と第２ベゼル４とを取り付けて、腕時計ケース１を組み立てる。このときには、ケース本体２の外周面に設けられた係止部材１６の係止部１８の上方に第２ベゼル４のガイド孔２２を対応させる。
【００３０】
そして、ケース本体２内に時計モジュール７を組み込み、この時計モジュール７の下部に押え部材９を配置し、この状態でケース本体２の下部に裏蓋６を取り付ける。この後、腕時計ケース１のバンド取付部１１に時計バンド１２を取り付ける。このときには、時計バンド１２の端部１２ａに設けられたロック部２３が、係止部材１６の係止部１８に対応した状態で、係止部１８の下側に配置される。
【００３１】
この状態で、保護部材１３を腕時計ケース１に取り付ける。このときには、保護部材１３の本体部１４を腕時計ケース１の上端部、つまり第２ベゼル４の上端部にその縁部に沿って対応させると共に、複数の保護部１５を時計ガラス５の上面に対応させる。この状態で、保護部材１３の本体部１４に設けられた係止部材１６のフック部１７を第２ベゼル４のガイド孔２２に上方から挿入させて、保護部材１３の本体部１４を第２ベゼル４の上端部に押し付ける。
【００３２】
すると、係止部材１６のフック部１７が第２ベゼル４のガイド孔２２から係止部材１６の係止部１８に向けて押し出され、この押し出されたフック部１７の一対の弾性片１７ａが係止部１８のガイド突起部２０によって押込み方向に対して直交する方向、つまりケース本体２の円周方向に弾力的に押し広げられる。
【００３３】
すなわち、フック部１７が押込まれて係止部１８のガイド突起部２０に到達すると、フック部１７の一対の弾性片１７ａがガイド突起部２０のガイド部２０ａによってケース本体２の円周方向に沿って弾力的に徐々に押し広げられる。この押し広げられた一対の弾性片１７ａの各係合突起１７ｂがガイド突起部２０のガイド部２０ａを乗り越えて、ガイド部２０ａの下側に移動すると、一対の弾性片１７ａの各係合突起１７ｂがガイド突起部２０の括れ部２０ｂに係止される。
【００３４】
この状態では、時計バンド１２の端部１２ａに設けられたロック部２３が、係止部材１６の係止部１８に対応した状態で、係止部１８の下側に配置されることにより、保護部材１３が上方から押されてフック部１７が押込まれても、このフック部１７の一対の弾性片１７ａの各下端部、つまり一対の弾性片１７ａの各係合突起１７ｂが、時計バンド１２のロック部２３に当接する。このため、保護部材１３が上方から押されても、フック部１７が押込まれることがないので、フック部１７が係止部１８に係止された状態でロック部２３によってロックされた状態になる。
【００３５】
このように、保護部材１３が腕時計ケース１の上部に取り付けられた状態では、保護部材１３の本体部１４が腕時計ケース１の上端部である第２ベゼル４の上端部にその縁部に沿って配置されると共に、複数の保護部１５が時計ガラス５の上面にそれぞれ対応して配置される。これにより、腕時計が上方から衝撃を受けた際に、保護部材１３によって衝撃を受け止めることができるので、時計ガラス５を衝撃から保護することができると共に、内部の時計モジュール７をも保護することができる。
【００３６】
ところで、保護部材１３を腕時計ケース１から取り外す場合には、まず、時計バンド１２を腕時計ケース１のバンド取付部１１から取り外す。すると、時計バンド１２の端部１２ａに設けられていたロック部２３が係止部材１６の係止部１８の下側から取り除かれる。これにより、係止部１８に係止された状態のフック部１７に対するロックが解除され、フック部１７の押込み動作が可能な状態になる。
【００３７】
この状態で、保護部材１３を押し下げて、係止部材１６のフック部１７を押し下げる。このときには、フック部１７の一対の弾性片１７ａの各係合突起１７ｂが係止部１８のガイド突起部２０の括れ部２０ｂに係止された状態で、フック部１７が押込まれるので、一対の弾性片１７ａの各係合突起１７ｂが、ガイド突起部２０の括れ部２０ｂから下側に離脱する。
【００３８】
すると、一対の弾性片１７ａの各係合突起１７ｂが、係止解除部２１の切替ガイド部２１ａによってガイドされて係止解除部２１の解除ガイド部２１ｂに導かれる。この解除ガイド部２１ｂに導かれた一対の弾性片１７ａが、解除ガイド部２１ｂによって押し広げられながらガイド突起部２０の上方にガイドされる。これにより、係止部１８によるフック部１７の係止が解除され、フック部１７が第２ベゼル４のガイド孔２２から上方に引き出されるので、保護部材１３を腕時計ケース１の上方に取り外すことができる。
【００３９】
このように、この腕時計によれば、上部開口部に時計ガラス５が取り付けられた腕時計ケース１と、この腕時計ケース１の上部に沿って配置され、かつ時計ガラス５の上面に突出する保護部材１３と、この保護部材１３を腕時計ケース１に押し付ける操作によって、保護部材１３に設けられたフック部１７を腕時計ケース１に設けられた係止部１８に係脱可能に係止する係止部材１６と、この係止部材１６の係止部１８に対してフック部１７をロックするためのロック部２３と、を備えていることにより、保護部材１３の着脱作業が簡単にできる。
【００４０】
すなわち、この腕時計では、腕時計ケース１の上部に保護部材１３を取り付ける際に、腕時計ケース１に保護部材１３を押し付けるだけで、簡単に係止部材１６のフック部１７を係止部１８に係止させて、ロック部２３によってフック部１７をロックすることができるので、保護部材１３を腕時計ケース１に簡単にかつ確実に取り付けることができる。
【００４１】
また、この腕時計では、保護部材１３を腕時計ケース１から取り外す際に、ロック部２３によるフック部１７のロックを解除して、係止部材１６のフック部１７を係止部１８から離脱させるだけで、簡単に保護部材１３を腕時計ケース１から取り外すことができる。これにより、保護部材１３の着脱作業が簡単にできると共に、保護部材１３が合成樹脂で形成されていることにより、保護部材１３がフック部１７を備えていても、容易に保護部材１３を成型することができる。
【００４２】
この場合、係止部材１６は、腕時計ケース１に対するフック部１７の押込み操作によってフック部１７が係止部１８に係止され、この状態でフック部１７が更に押込まれると係止部１８によるフック部１７の係止が解除される構成であるから、保護部材１３を押してフック部１７を押し込むだけの簡単な操作で、係止部１８にフック部１７を係止させることができると共に、係止部１８によるフック部１７の係止を解除することができるので、係止部１８に対するフック部１７の着脱操作性が極めて良い。
【００４３】
すなわち、フック部１７は、係止部１８に対する押込み方向に対して直交する方向に弾力的に押し広げられる一対の弾性片１７ａを有し、係止部１８は、フック部１７の押込み操作に応じて一対の弾性片１７ａを押し広げて係止するガイド突起部２０と、このガイド突起部２０によって一対の弾性片１７ａが係止された状態で、フック部１７が押込まれた際に、一対の弾性片１７ａをガイド突起部２０から離脱させて抜き出す方向にガイドする係止解除部２１とを有しているので、簡単な構造で、フック部１７の押込み操作によって係止部１８に対するフック部１７の係止、およびその解除を確実にかつ良好に行うことができる。
【００４４】
この場合、ガイド突起部２０は、フック部１７の一対の弾性片１７ａを押し広げるようにガイドするガイド部２０ａと、このガイド部２０ａの下部に設けられて一対の弾性片１７ａの各係合突起１７ｂを係止する括れ部２０ｂと、を有しており、係止解除部２１は、ガイド突起部２０の括れ部２０ｂの下面からケース本体２の肉厚方向に食い込んだ状態で連続する切替ガイド部２１ａと、この切替ガイド部２１ａからケース本体２の上部側に向けて一対の弾性片１７ａを押し広げるようにガイドする解除ガイド部２１ｂと、を有しているので、ガイド突起部２０によって一対の弾性片１７ａを確実に係止でき、係止解除部２１によって一対の弾性片１７ａの係止を確実に解除することができる。
【００４５】
すなわち、この係止部材１６では、フック部１７が押込まれて係止部１８のガイド突起部２０に到達すると、ガイド突起部２０のガイド部２０ａによってフック部１７の一対の弾性片１７ａをその押込み方向に対して直交する方向であるケース本体２の円周方向に弾力的に押し広げることができる。また、この押し広げられた一対の弾性片１７ａの各係合突起１７ｂがガイド突起部２０のガイド部２０ａを乗り越えて、ガイド部２０ａの下側に移動すると、一対の弾性片１７ａの各係合突起１７ｂをガイド突起部２０の括れ部２０ｂに確実に係止させることができ、これにより保護部材１３を腕時計ケース１に簡単にかつ確実に取り付けることができる。
【００４６】
また、この係止部材１６では、フック部１７の一対の弾性片１７ａの各係合突起１７ｂが係止部１８のガイド突起部２０の括れ部２０ｂに係止された状態で、フック部１７が押込まれると、一対の弾性片１７ａの各係合突起１７ｂを係止解除部２１の切替ガイド部２１ａによってガイドして解除ガイド部２１ｂに導くことができる。このため、解除ガイド部２１ｂによって一対の弾性片１７ａを押し広げながらガイド突起部２０の上方にガイドすることができるので、係止部１８によるフック部１７の係止を確実にかつ良好に解除することができ、これにより保護部材１３を腕時計ケース１から簡単に取り外すことができる。
【００４７】
この場合、係止部材１６の係止部１８に対してフック部１７をロックするロック部２３は、腕時計ケース１に取り付けられた時計バンド１２に設けられ、係止部１８の下側に配置されて、係止部１８に係止されたフック部１７の押込み動作を阻止する構成であるから、フック部１７を係止部１８に係止させて、保護部材１３を腕時計ケース１に取り付けた状態で、保護部材１３を腕時計ケース１に押し付けても、フック部１７がロック部２３に当接して、フック部１７が押込まれることがない。
【００４８】
このため、このロック部２３は、係止部１８に対するフック部１７の係止が解除されるのを確実に防ぐことができ、これにより保護部材１３が不用意に腕時計ケース１から外れないようにすることができる。また、時計バンド１２を腕時計ケース１から取り外すと、係止部１８の下側からロック部２３を取り除くことができるので、この状態で保護部材１３を腕時計ケース１に押し付けると、係止部１８によるフック部１７の係止を解除することができ、これにより保護部材１３を腕時計ケース１から簡単に取り外すことができる。
【００４９】
また、この腕時計の腕時計ケース１は、上部開口部に時計ガラス５が取り付けられたケース本体２と、このケース本体２の外周面を覆う第１ベゼル３および第２ベゼル４とを有しているので、第１ベゼル３と第２ベゼル４とによって衝撃からケース本体２を良好に保護することができる。
【００５０】
すなわち、ケース本体２は硬質の合成樹脂で形成され、第１ベゼル３はステンレスなどの金属で形成され、第３ベゼル４はウレタン樹脂などの軟質の合成樹脂で形成されていることにより、金属製の第１ベゼル３によってケース本体２が傷つかないように保護することができ、また軟質の合成樹脂製の第２ベゼル４によって衝撃を緩衝することができるので、ケース本体２が衝撃を受けないようにすることができる。
【００５１】
さらに、この腕時計では、係止部材１６の係止部１８がケース本体２の外面に設けられ、第２ベゼル４には、係止部材１６のフック部１７をケース本体２の係止部１８に向けてガイドするガイド孔２２が設けられていることにより、フック部１７が腕時計ケース１の外部から見えないように隠すことができ、これにより外観的にもデザイン的に好ましいものを提供することができる。この場合、時計バンド１２は、腕時計ケース１に取り付けられた際に、係止部材１６の係止部１８を隠すことができるので、これによっても外観的にもデザイン的に好ましいものを提供することができる。
【００５２】
なお、上述した実施形態では、指針式の腕時計に適用した場合について述べたが、必ずしも指針式の腕時計である必要はなく、例えば時刻などの情報を平面型の表示パネルで電気光学的に表示するデジタル式の腕時計にも適用することができる。
【００５３】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５４】
（付記）
請求項１に記載の発明は、上部開口部に時計ガラスが取り付けられた時計ケースと、この時計ケースの上部に沿って配置され、かつ前記時計ガラスの上面に突出する保護部材と、この保護部材を前記時計ケースに押し付ける操作によって、前記保護部材に設けられたフック部を前記時計ケースに設けられた係止部に係脱可能に係止する係止部材と、を備えていることを特徴とする腕時計である。
【００５５】
請求項２に記載の発明は、請求項１に記載の腕時計において、前記係止部材は、前記時計ケースに対する前記フック部の押込み操作によって前記フック部が前記係止部に係止され、この状態で前記フック部が更に押込まれると前記係止部による前記フック部の係止が解除される構成であることを特徴とする腕時計である。
【００５６】
請求項３に記載の発明は、請求項１または請求項２に記載の腕時計において、前記フック部は、前記係止部に対する押込み方向に対して直交する方向に弾力的に押し広げられる一対の弾性片を有し、前記係止部は、前記フック部の押込み操作に応じて前記一対の弾性片を押し広げて係止するガイド突起部と、このガイド突起部によって前記一対の弾性片が係止された状態で、前記フック部が押込まれた際に、前記一対の弾性片を前記ガイド突起部から離脱させて抜き出す方向にガイドする係止解除部とを有していることを特徴とする腕時計である。
【００５７】
請求項４に記載の発明は、請求項１〜請求項３のいずれかに記載の腕時計において、前記係止部材の前記係止部に対して前記フック部をロックするためのロック部を備え、前記ロック部は、前記時計ケースに取り付けられた時計バンドに設けられ、前記係止部材の前記係止部の下側に配置されて、前記係止部に係止された前記フック部の押込み動作を阻止することを特徴とする腕時計である。
【００５８】
請求項５に記載の発明は、請求項１〜請求項４のいずれかに記載の腕時計において、前記時計ケースは、上部開口部に前記時計ガラスが取り付けられたケース本体と、このケース本体の外周面を覆うベゼルとを有していることを特徴とする腕時計である。
【００５９】
請求項６に記載の発明は、請求項５に記載の腕時計において、前記係止部は前記ケース本体の外面に設けられ、前記ベゼルには、前記フック部を前記ケース本体の前記係止部に向けてガイドするガイド孔が設けられていることを特徴とする腕時計。
【符号の説明】
【００６０】
１  腕時計ケース
２  ケース本体
３  第１ベゼル
４  第２ベゼル
５  時計ガラス
７  時計モジュール
１１  バンド取付部
１２  時計バンド
１３  保護部材
１４  本体部
１５  保護部
１６  係止部材
１７  フック部
１７ａ  一対の弾性片
１７ｂ  係合突起
１８  係止部
２０  ガイド突起部
２０ａ  ガイド部
２０ｂ  括れ部
２１  係止解除部
２１ａ  切替ガイド部
２１ｂ  解除ガイド部
２２  ガイド孔
２３  ロック部
【図１】
2015031625.tif 000003
【図２】
2015031625.tif 000004
【図３】
2015031625.tif 000005
【図４】
2015031625.tif 000006
【図５】
2015031625.tif 000007
【図６】
2015031625.tif 000008
【図７】
2015031625.tif 000009